(57)【要約】【課題】リング状バリスタの心出しを容易化できる整流子モータの提供。【解決手段】整流子モータは、モータ軸が挿通する円筒状部１２の下側に鍔状台座部１４を一体的に備えた絶縁樹脂製の整流子ホルダ１０と、円筒状部１２の外周面に巡らせて添接した３個の整流子セグメント２０を固定する絶縁性締め輪３０と、各整流子セグメント２０の下端側で屈曲して鍔状台座部１４の放射溝１４ｂに収まって径方向外側へ張り出るライザー２２上で半田付けされたリング状バリスタ４０とを有し、鍔状台座部１４は、絶縁性締め輪３０が着座する内周側平坦部１４ａと、この内周側平坦部１４ａの外周側においてリング状バリスタ４０の中央孔Ｈに嵌ってリング状バリスタ４０を受け載せる心出し用テーパ部１４ｃを有する。【選択図】      図２
2011151915.tif 000002
【特許請求の範囲】
【請求項１】
モータ軸が挿通する筒状部の下側に鍔状台座部を一体的に備えた絶縁樹脂製の整流子ホルダと、前記筒状部の外周面に巡らせて添接した複数の整流子セグメントを固定する絶縁性締め輪と、前記各整流子セグメントの下端側で屈曲して前記鍔状台座部の放射溝に収まって径方向外側へ張り出るライザー上で固着されたリング状バリスタとを有する整流子モータであって、
前記鍔状台座部は、前記絶縁性締め輪が着座する内周側平坦部と、この内周側平坦部の外周側において前記リング状バリスタの中央孔に嵌って当該リング状バリスタを受け載せる芯出し用テーパ部を有することを特徴とする整流子モータ。
【請求項２】
請求項１に記載の整流子モータにおいて、前記リング状バリスタはその内周面の下側に前記心出し用テーパ部に嵌め合うテーパ状面取り部を有することを特徴とする整流子モータ。
【請求項３】
請求項１又は請求項２に記載の整流子モータにおいて、前記鍔状台座部は、前記心出し用テーパ部の外周側に当該心出し用テーパ面よりも緩勾配の外周側テーパ部を有することを特徴とする整流子モータ。
【請求項４】
請求項１乃至請求項３のいずれか一項に記載の整流子モータにおいて、前記心出し用テーパ部は、テーパ母線方向に揃う山部と谷部が周方向に交互繰り返しで形成されていることを特徴とする整流子モータ。
【発明の詳細な説明】
【技術分野】
【０００１】
本発明は、整流子モータに関し、特に、消弧用のリング状バリスタを持つ整流子モータに関する。
【背景技術】
【０００２】
実開平６−１７３６７に開示の整流子モータにおいては、モータ軸が挿通する円筒状部の下側に鍔状台座を一体的に備えた絶縁樹脂製の整流子ホルダと、円筒状部の外周面に添接した３個の整流子セグメントを固定する絶縁性ワッシャーとを備え、各整流子セグメントはその下端側から屈曲して鍔状台座部上を径方向外側へ延在するライザーを有しており、このライザーの幅広の平坦部上にリング状バリスタが設置されて半田付け接続されている。
【先行技術文献】
【特許文献】
【０００３】
【特許文献１】実開平６−１７３６７（図１，図２）
【発明の概要】
【発明が解決しようとする課題】
【０００４】
このリング状バリスタはライザー上の絶縁性ワッシャーの外側に設置固定されるため、リング状バリスタの内周径は絶縁性ワッシャーの外周径よりも大きく、リング状バリスタの中心が筒状部の中心（モータ軸の中心）から偏心した位置となり易く、リング状バリスタの心合わせが行い難い。
【０００５】
そこで、上記問題点に鑑み、本発明の課題は、モータ軸心に対するリング状バリスタの心合わせを容易化できる整流子モータを提供することにある。
【課題を解決するための手段】
【０００６】
上記課題を解決するため、本発明に係る整流子モータは、モータ軸が挿通する筒状部の下側に鍔状台座部を一体的に備えた絶縁樹脂製の整流子ホルダと、筒状部の外周面に添接した複数の整流子セグメントを固定する絶縁性締め輪と、各整流子セグメントの下端側で屈曲して鍔状台座部の放射溝に収まって径方向外側へ張り出るライザー上で固着されたリング状バリスタとを有し、鍔状台座部は、絶縁性締め輪が着座する内周側平坦部と、この内周側平坦部の外周側においてリング状バリスタの中央孔に嵌って当該リング状バリスタを受け載せる心出し用テーパ部を有することを特徴とする。
【０００７】
リング状バリスタを絶縁性締め輪の外周側に設置する際は、リング状バリスタはその中央孔に心出し用テーパ部が嵌まった状態で自動的にセンタリングされることなるため、リング状バリスタの中心が筒状部の中心（モータ軸の中心）近傍に位置し、ロータバランスが向上する。
【０００８】
ここで、リング状バリスタがその内周面の下側に心出し用テーパ部に嵌め合うテーパ状面取り部を有する場合、テーパ状面取り部の分だけリング状バリスタの設置位置を下げることができ、リング状バリスタとライザーとの半田接続の容易化を図ることができる。
【０００９】
ところで、心出し用テーパ部のセンタリング機能を高める場合は、心出し用テーパ部を急勾配に設定する必要があるが、心出し用テーパ部を急勾配にする程、鍔状台座部のライザーの受け面耐力が落ちてしまうため、ライザーの先端側にコイル端末を絡げて張力を加えると、整流子セグメントの倒れを生じる虞れがある。
【００１０】
そこで、鍔状台座部が心出し用テーパ部の外周側に当該心出し用テーパ部よりも緩勾配の外周側テーパ部を有する場合、急勾配の心出し用テーパ部を鍔状台座部の外周端まで形成せずに済み、鍔状台座部のライザーの受け面耐力を維持でき、ライザーの先端側にコイル端末を絡げて張力を加えても、整流子セグメントの倒れを抑制できる。また、鍔状台座部ではライザーを載せ受ける面積と厚みを確保できるため、この点からもライザーの先端側にコイル端末を絡げて張力を加えても整流子セグメントの倒れを抑制できる。
【００１１】
そして、心出し用テーパ部がテーパ母線方向に揃う山部と谷部が周方向に交互繰り返しで形成されている場合は、山部稜線がリング状バリスタの内周面と接触することになり、接触面積の大幅減少により、摩擦抵抗が下がるため、心出し用テーパ部を急勾配にせずとも、センタリング機能を高めることができる。
【発明の効果】
【００１２】
本発明によれば、モータ軸心に対するリング状バリスタの心合わせを容易化できる。
【図面の簡単な説明】
【００１３】
【図１】（Ａ）は本発明に係る整流子モータにおける整流子構造の実施例１を示す斜視図、（Ｂ）はその平面図である。
【図２】（Ａ）は図１（Ｂ）中のａ−ａ線に沿って切断した状態を示す断面図、（Ｂ）は図１（Ｂ）中のｂ−ｂ線に沿って切断した状態を示す断面図である。
【図３】（Ａ）は実施例１においてリング状バリスタを装着する前の状態を示す斜視図、（Ｂ）はその平面図である。
【図４】（Ａ）は図３（Ｂ）中のａ−ａ線に沿って切断した状態を示す断面図、（Ｂ）は図３（Ｂ）中のｂ−ｂ線に沿って切断した状態を示す断面図である。
【図５】（Ａ）は本発明に係る整流子モータにおける整流子構造の実施例２を示す平面図、（Ｂ）は実施例２におけるリング状バリスタを示す断面図、（Ｃ）は同リング状バリスタの底面図である。
【図６】（Ａ）は図５（Ａ）中のａ−ａ線に沿って切断した状態を示す断面図、（Ｂ）は図５（Ａ）中のｂ−ｂ線に沿って切断した状態を示す断面図である。
【図７】（Ａ）は本発明に係る整流子モータにおける整流子構造の実施例３を示す斜視図、（Ｂ）はその平面図である。
【図８】（Ａ）は図７（Ｂ）中のａ−ａ線に沿って切断した状態を示す断面図、（Ｂ）は図７（Ｂ）中のｂ−ｂ線に沿って切断した状態を示す断面図である。
【図９】本発明に係る整流子モータにおいて用いる別の整流子ホルダを示す斜視図である。
【発明を実施するための形態】
【００１４】
次に、本発明の実施形態を添付図面に基づいて説明する。
【実施例１】
【００１５】
本例の整流子構造１は、モータ軸（図示せず）が挿通する円筒状部１２の下側に鍔状台座部１４及びこの鍔状台座部１４から下方に延在してコア（図示せず）に差し込み固定するための取付突片１６を一体的に備えた絶縁樹脂製の整流子ホルダ１０と、円筒状部１２の外周面に添接した３個の整流子セグメント２０を固定する絶縁性締め輪（ワッシャー）３０と、各整流子セグメント２０の下端側で屈曲して径方向外側へ張り出るライザー２２上において半田付けされたリング状バリスタ４０とを有する。
【００１６】
本例の鍔状台座部１４は平面視で正三角形の頂点付近を円弧Ｒで連絡した外側輪郭を持ち、円筒状部１２の付け根部分で整流子セグメント２０の下端を差し込み係止めするための周回溝Ｖと、絶縁性締め輪３０が着座する内周側平坦部１４ａと、この内周側平坦部１４ａにおいて円弧Ｒの中央を通り放射方向に延びるライザー２２が嵌まって収まる放射溝１４ｂと、この内周側平坦部１４ａの外周側においてリング状バリスタ４０の中央孔Ｈに浅く嵌ってリング状バリスタ４０を受け載せる上に凸の心出し用テーパ部１４ｃを有する。この心出し用テーパ部１４ｃは約６０°の急勾配で、円弧Ｒでは裾野が広くなっているが、正三角形の直線Ｌでは深く切り落とされている。
【００１７】
このような整流子構造においては、リング状バリスタ４０を絶縁性締め輪３０の外周側に設置する際は、リング状バリスタ４０はその中央孔Ｈに心出し用テーパ部１４ｃが嵌まった状態で自動的にセンタリングされることなるため、リング状バリスタ４０の中心が円筒状部１２の中心（モータ軸の中心）近傍に位置し、ロータバランスが向上する。
【実施例２】
【００１８】
図５及び図６においては、図１乃至図４に示す部分と同一部分には同一参照符号を付し、その説明は省略する。
【００１９】
本例の整流子構造２において、リング状バリスタ４０′は、その内周面の下側に心出し用テーパ部１４ｃ′に嵌め合うテーパ状面取り部４２を有しており、この心出し用テーパ部１４ｃ′は実施例１の心出し用テーパ部１４ｃよりも緩勾配の４５°勾配となっている。
【００２０】
このように、本例においてはリング状バリスタ４０′側に心出し用テーパ部１４ｃ′に嵌め合うテーパ状面取り部４２を有しているため、リング状バリスタ４０′の設置位置を図６（Ａ）に示す想像線から実線まで下げることができ、リング状バリスタ４０′とライザー２２との半田接続の容易化を図ることができる。また、心出し用テーパ部１４ｃ′は実施例１の心出し用テーパ部１４ｃよりも緩勾配の４５°勾配とすることができるため、鍔状台座部１４においてライザー２２を載せ受ける面積と肉厚を確保できるので、ライザー２２の先端側にコイル端末（図示せず）を絡げて張力を加えても整流子セグメント２０の倒れを抑制できる。
【実施例３】
【００２１】
図７及び図８においては、図１乃至図４に示す部分と同一部分には同一参照符号を付し、その説明は省略する。
【００２２】
鍔状台座部１４は、心出し用テーパ部１４ｃの外周側に急勾配の心出し用テーパ面１４ｃよりも緩勾配の外周側テーパ部１４ｅを有している。
【００２３】
このような２段テーパ構成においては、急勾配の心出し用テーパ部１４ｃを鍔状台座部１４の外周端まで形成せずに済み、鍔状台座部１４のライザー２２の受け面耐力を維持でき、ライザー２２の先端側にコイル端末（図示せず）を絡げて張力を加えても、整流子セグメント２０の倒れを抑制できる。また、鍔状台座部１４においてライザー２２を載せ受ける面積と肉厚を確保できるので、この点からもライザー２２の先端側にコイル端末（図示せず）を絡げて張力を加えても整流子セグメント２０の倒れを抑制できる。
【実施例４】
【００２４】
図９は別の整流子ホルダー１０′を示し、心出し用テーパ部１４ｃ″は斜歯歯車状で、テーパ母線方向に揃う山部Ｍと谷部Ｎが周方向に交互繰り返し形成されている。
【００２５】
このような心出し用テーパ部１４ｃ″においては、山部Ｍの稜線がリング状バリスタ４０の内周面と線接触することになり、接触面積の大幅減少により、摩擦抵抗が下がるため、心出し用テーパ部１４ｃ″を急勾配にせずとも、センタリング機能を高めることができる。鍔状台座部１４′においてライザー２２を載せ受ける面積と肉厚を確保できるので、ライザー２２の先端側にコイル端末（図示せず）を絡げて張力を加えても整流子セグメント２０の倒れを抑制できる。
【符号の説明】
【００２６】
１，２…整流子構造
１０，１０′…整流子ホルダ
１２…円筒状部
１４，１４′…鍔状台座部
１４ａ…内周側平坦部
１４ｂ…放射溝
１４ｃ，１４ｃ′，１４ｃ″…心出し用テーパ部
１４ｅ…外周側テーパ部
１６…取付突片
２０…整流子セグメント
２２…ライザー
３０…絶縁性締め輪（ワッシャー）
４０，４０′…リング状バリスタ
４２…テーパ状面取り部
Ｈ…中央孔
Ｌ…直線
Ｍ…山部
Ｎ…谷部
Ｒ…円弧
Ｖ…周回溝
【図１】
2011151915.tif 000003
【図２】
2011151915.tif 000004
【図３】
2011151915.tif 000005
【図４】
2011151915.tif 000006
【図５】
2011151915.tif 000007
【図６】
2011151915.tif 000008
【図７】
2011151915.tif 000009
【図８】
2011151915.tif 000010
【図９】
2011151915.tif 000011